(57)【要約】【課題】室内の居住性への影響が小さく、汎用的に採用することができる蓄電池の設置構造を提供する。【解決手段】建物１の内部に蓄電池５を設置するための蓄電池の設置構造であって、建物１の室内である床上空間６の床部１ａの上面を底面として形成された蓄電池収納空間４内に蓄電池５が設置されており、蓄電池収納空間４の上部には、収納部７が設けられた構成とされている。【選択図】図１
2014185448.tif 000002
【特許請求の範囲】
【請求項１】
建物の内部に蓄電池を設置するための蓄電池の設置構造であって、
前記建物の床上空間の床部の上面を底面として形成された蓄電池収納空間内に前記蓄電池が設置されており、
前記蓄電池収納空間の上部には、収納部が設けられていることを特徴とする蓄電池の設置構造。
【請求項２】
前記蓄電池収納空間の上面又は側面には、点検口が設けられており、該点検口は、開閉可能な点検口用扉又は点検口用蓋で塞がれていることを特徴とする請求項１に記載の蓄電池の設置構造。
【請求項３】
前記建物は前記床部により前記床上空間と仕切られた床下空間を有し、
前記床下空間と前記蓄電池収納空間との間を仕切る前記床部に下側通気孔が設けられているともに、前記蓄電池収納空間の側面又は上面に前記床上空間と連通する上側通気孔が設けられ、前記下側通気孔と前記上側通気孔との間を通る空気が前記蓄電池の表面に接触する通気経路が形成されていることを特徴とする請求項１又は２に記載の蓄電池の設置構造。
【請求項４】
前記床下空間は、前記建物の基礎に断熱材を取り付けた断熱基礎により形成された床下空間であることを特徴とする請求項３に記載の蓄電池の設置構造。
【請求項５】
前記床下空間に吹出型の空調装置が設置されていることを特徴とする請求項３又は４に記載の蓄電池の設置構造。
【請求項６】
前記空調装置の吹出部と前記下側通気孔との間がダクトで接続されていることを特徴とする請求項５に記載の蓄電池の設置構造。
【請求項７】
前記空調装置は、前記床上空間も空調可能な空調装置であることを特徴とする請求項５又は６に記載の蓄電池の設置構造。
【請求項８】
前記床下空間に送風機が設置されていることを特徴とする請求項３又は４に記載の蓄電池の設置構造。
【発明の詳細な説明】
【技術分野】
【０００１】
本発明は、建物の内部に蓄電池を設置するための蓄電池の設置構造に関するものである。
【背景技術】
【０００２】
従来から、建物の内部に蓄電池を設置するための蓄電池の設置構造については多数提案されている（例えば、特許文献１等を参照）。
【先行技術文献】
【特許文献】
【０００３】
【特許文献１】特開２０１０−２４４９１８号公報
【発明の概要】
【発明が解決しようとする課題】
【０００４】
しかしながら、上記した特許文献１のような蓄電池の設置構造では、畳コーナー等のように一段高い床の段差部分内に蓄電池収納空間が形成されており、建物の居住者の好みが様々であることを考慮すると、室内の居住性に大きく影響を与えるため、汎用的なものとは言えない。
【０００５】
そこで、本発明は、室内の居住性への影響が小さく、汎用的に採用することができる蓄電池の設置構造を提供することを目的としている。
【課題を解決するための手段】
【０００６】
前記目的を達成するために、本発明の蓄電池の設置構造は、建物の内部に蓄電池を設置するための蓄電池の設置構造であって、前記建物の床上空間の床部の上面を底面として形成された蓄電池収納空間内に前記蓄電池が設置されており、前記蓄電池収納空間の上部には、収納部が設けられていることを特徴とする。
【０００７】
ここで、前記蓄電池収納空間の上面又は側面には、点検口が設けられており、該点検口は、開閉可能な点検口用扉又は点検口用蓋で塞がれているとよい。
【０００８】
また、前記建物は前記床部により前記床上空間と仕切られた床下空間を有し、前記床下空間と前記蓄電池収納空間との間を仕切る前記床部に下側通気孔が設けられているともに、前記蓄電池収納空間の側面又は上面に前記床上空間と連通する上側通気孔が設けられ、前記下側通気孔と前記上側通気孔との間を通る空気が前記蓄電池の表面に接触する通気経路が形成されているとよい。
【０００９】
さらに、前記床下空間は、前記建物の基礎に断熱材を取り付けた断熱基礎により形成された床下空間であるとよい。
【００１０】
また、前記床下空間に吹出型の空調装置が設置されていてもよい。
【００１１】
ここで、前記空調装置の吹出部と前記下側通気孔との間がダクトで接続されているとよい。
【００１２】
また、前記空調装置は、前記床上空間も空調可能な空調装置であるとよい。
【００１３】
さらに、前記床下空間に送風機が設置されていてもよい。
【発明の効果】
【００１４】
このような本発明の蓄電池の設置構造は、建物の内部に蓄電池を設置するための蓄電池の設置構造であって、建物の床上空間の床部の上面を底面として形成された蓄電池収納空間内に蓄電池が設置されており、蓄電池収納空間の上部には、収納部が設けられた構成とされている。
【００１５】
上記した構成なので、大抵の建物の居住者は、クローゼット等の収納部を室内である床上空間に必要とするため、室内である床上空間の居住性への影響が小さく、汎用的に採用することができる。
【００１６】
そのうえ、クローゼット等の収納部の下部は通常上げ底とし、デッドスペースとなるので、このデッドスペースを含めて違和感なく有効利用することができる。
【００１７】
ここで、蓄電池収納空間の上面又は側面には、点検口が設けられており、点検口は、開閉可能な点検口用扉又は点検口用蓋で塞がれている場合は、床上空間側からこの点検口を通して蓄電池のメンテナンスなどを容易に行うことができる。
【００１８】
また、建物は床部により床上空間と仕切られた床下空間を有し、床下空間と蓄電池収納空間との間を仕切る床部に下側通気孔が設けられているともに、蓄電池収納空間の側面又は上面に床上空間と連通する上側通気孔が設けられ、下側通気孔と上側通気孔との間を通る空気が蓄電池の表面に接触する通気経路が形成されている場合は、下側通気孔と上側通気孔との間を通る空気が蓄電池の表面に接触する通気経路が形成されているので、蓄電池収納空間内に設置された蓄電池を、効率良く適切な温度状態に保つことができる。
【００１９】
さらに、床下空間は、建物の基礎に断熱材を取り付けた断熱基礎により形成された床下空間である場合は、床下空間内が年を通して安定した温度となるので、下側通気孔から上側通気孔に向かって通気されるときは、この安定した温度の空気により蓄電池を効率良く適切な温度状態に保つことができる。
【００２０】
また、床下空間に吹出型の空調装置が設置されている場合は、蓄電池を適切な温度状態に保つために必要な温度に設定された空気を下側通気孔側から蓄電池収納空間内へ強制的に送り込むことができる。
【００２１】
ここで、空調装置の吹出部と下側通気孔との間がダクトで接続されている場合は、蓄電池収納空間内のみをターゲットとすることができるので、無駄な熱量を用いずに済む。
【００２２】
また、空調装置は、床上空間も空調可能な空調装置である場合は、蓄電池を効率良く適切な温度状態に保つ機能を、床上空間を空調する空調装置の一機能とすることができる。
【００２３】
さらに、床下空間に送風機が設置されている場合は、蓄電池を適切な温度状態に保つために必要な量の空気を下側通気孔側から蓄電池収納空間内へ強制的に送り込むことができる。
【図面の簡単な説明】
【００２４】
【図１】実施例１の蓄電池の設置構造を備えた建物の概略構成を示す説明図である。
【図２】実施例２の蓄電池の設置構造を備えた建物の概略構成を示す説明図である。
【図３】実施例３の蓄電池の設置構造を備えた建物の概略構成を示す説明図である。
【発明を実施するための形態】
【００２５】
以下、本発明を実施するための形態を、図面に示す実施例１〜３に基づいて説明する。
【実施例１】
【００２６】
先ず、実施例１の構成について説明する。
【００２７】
図１は、実施例１の蓄電池の設置構造を備えた建物１の概略構成を示している。
【００２８】
この建物１は、断熱基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００２９】
そして、この天井部１ｅと外壁部１ｄとに囲まれる空間は、床部１ａによって床下空間３と居室などに用いられる床上空間６とが区切られた構成となっている。
【００３０】
また、基礎側壁コンクリート１ｃの床下空間３側には、グラスウールなどの断熱材２が取り付けられており、床下空間３内の熱が屋外に極力漏れない断熱構造となっている。
【００３１】
そして、床下空間３の直上には、蓄電池収納空間４が形成されており、この蓄電池収納空間４内に、蓄電池５と蓄電池用のパワーコンディショナー５ａとが隣り合って設置されている。
【００３２】
ここで、蓄電池収納空間４のパワーコンディショナー５ａ側の側面となる側面板４１には、上側通気孔４ａが設けられている。
【００３３】
すなわち、熱の排出効率を良くするために、比較的発熱量が大きいパワーコンディショナー５ａが上側通気孔４ａ側に向くように配置されている。
【００３４】
また、床下空間３と蓄電池収納空間４との間を仕切る床部１ａには、複数の下側通気孔４ｂ，・・・が設けられ、この部分の床部１ａは、すのこ状となっている。
【００３５】
これにより、（パワーコンディショナー５ａを含む）蓄電池５は、下側通気孔４ｂ，・・・と上側通気孔４ａとの間の一点鎖線で示した通気経路Ｗ（主に蓄電池５の下面及び側面）を通った空気がその表面に接触して、奪った熱を蓄電池収納空間４の外に排出するので、蓄電池５は、効率良く適切な温度状態に保たれる。
【００３６】
ここで、蓄電池収納空間４の上部は、クローゼットなどの収納部７となっている。
【００３７】
また、蓄電池収納空間４の上面を形成し、収納部７の底面を形成する水平板４２，４２は開閉可能な扉となっており、水平板４２，４２を開くと、蓄電池収納空間４の上側に点検口が形成されるようになっている。
【００３８】
すなわち、水平板４２，４２は、この点検口を通常は塞いでいる点検口用扉となっている。
【００３９】
次に、実施例１の作用効果について説明する。
【００４０】
このような実施例１の蓄電池の設置構造は、建物１の内部に蓄電池５を設置するための蓄電池の設置構造である。
【００４１】
そして、建物１の室内である床上空間６の床部１ａの上面を底面として形成された蓄電池収納空間４内に蓄電池５が設置されており、蓄電池収納空間４の上部には、収納部７が設けられた構成とされている。
【００４２】
上記した構成なので、大抵の建物１の居住者は、クローゼット等の収納部７を室内である床上空間６に必要とするため、室内である床上空間６の居住性への影響が小さく、汎用的に採用することができる。
【００４３】
そのうえ、クローゼット等の収納部７の下部は通常上げ底とし、デッドスペースとなるので、このデッドスペースを含めて違和感なく有効利用することができる。
【００４４】
ここで、蓄電池収納空間４の上面には、開閉可能な点検口扉となる水平板４２，４２が設けられており、水平板４２，４２を開くと、点検口が形成されるようになっている。
【００４５】
このため、床上空間６側から水平板４２，４２を開くだけで、この点検口を通して蓄電池５のメンテナンスなどを容易に行うことができる。
【００４６】
なお、収納部７が扉を有するものであっても、この扉をあけた状態とすれば、水平板４２，４２を開いて、点検口を通した蓄電池５のメンテナンスなどを容易に行うことができる。
【００４７】
また、建物１は床部１ａにより床上空間６と仕切られた床下空間３を有し、床下空間３と蓄電池収納空間４との間を仕切る床部１ａに下側通気孔４ｂ，・・・が設けられているともに、蓄電池収納空間４の側面となる側面板４１には床上空間６と連通する上側通気孔４ａが設けられ、下側通気孔４ｂ，・・・と上側通気孔４ａとの間を通る空気が蓄電池５の表面に接触する通気経路Ｗが形成されている。
【００４８】
このため、下側通気孔４ｂ，・・・と上側通気孔４ａとの間を通る空気が蓄電池５の表面に接触する通気経路Ｗが形成されているので、蓄電池収納空間４内に設置された蓄電池５を、効率良く適切な温度状態に保つことができる。
【００４９】
さらに、床下空間３は、建物１の基礎を構成する基礎側壁コンクリート１ｃに断熱材２を取り付けた断熱基礎により形成された床下空間である。
【００５０】
このため、床下空間３内が年を通して安定した温度となるので、下側通気孔４ｂ，・・・から上側通気孔４ａに向かって通気されるときは、この安定した温度の空気により蓄電池５を効率良く適切な温度状態に保つことができる。
【実施例２】
【００５１】
次に、実施例２について説明する。
【００５２】
なお、上記実施例１で説明した内容と同一乃至均等な部分の説明については同一符号を付して説明する。
【００５３】
図２は、実施例２の蓄電池の設置構造を備えた建物１の概略構成を示している。
【００５４】
この実施例２の蓄電池の設置構造では、内部に図示省略のファンが内蔵された送風機１２が床下空間３内に設置されていることが上記実施例１の蓄電池の設置構造と主に異なる。
【００５５】
すなわち、蓄電池５を適切な温度状態に保つために必要な量の空気を下側通気孔４ｂ，・・・側から蓄電池収納空間４内へ強制的に送り込むことができる。
【００５６】
ここで、送風機１２は、吸入口１３から吸入した外気を、ダクト１５１を介して外気吸込部１２３から内部に吸い込み、図示省略のフィルターにより浄化した後、吹出部１２１から吹き出し、床部１ａに設けた排気口１６から排出した内気を、ダクト１５３を介して内気吸込部１２２から吸い込み、内気吐出部１２４からダクト１５２を介して吐出口１４から吐出するとともに、図示省略の熱交換器で給排気による熱損失を極力小さくすることができる熱交換型の換気装置である。
【００５７】
なお、他の構成及び作用効果については、上記実施例１と略同様であるので説明を省略する。
【実施例３】
【００５８】
次に、実施例３について説明する。
【００５９】
なお、上記実施例１で説明した内容と同一乃至均等な部分の説明については同一符号を付して説明する。
【００６０】
図３は、実施例３の蓄電池の設置構造を備えた建物１の概略構成を示している。
【００６１】
この実施例３の蓄電池の設置構造では、床下空間３内に吹出型の空調装置としてのエアコンディショナーの屋内機８が設置されており、床下空間３と蓄電池収納空間４との間を仕切る床部１ａに設けられた下側通気孔４ｂと吹出部８１との間がダクト９１で接続されていることが上記実施例１の蓄電池の設置構造と主に異なる。
【００６２】
ここで、蓄電池収納空間４内には蓄電池５周囲の温度を検知するための図示省略の温度センサーが設置されており、適切でない温度に近づくと、制御部は、蓄電池５を適切な温度状態に保つために必要な温度に設定された空気を吹出部８１から吹き出し、下側通気孔４ｂ側から蓄電池収納空間４内へ強制的に送り込み、下側通気孔４ｂと上側通気孔４ａとの間の一点鎖線で示した通気経路Ｗを通った空気が蓄電池５の表面に接触して、奪った熱を蓄電池収納空間４の外に排出するので、蓄電池５は、効率良く適切な温度状態に保たれる。
【００６３】
また、吹出型の空調装置としてのエアコンディショナーの屋内機８は、ヒートポンプ式であり、熱媒循環管路により、建物１の屋外に設置された屋外機１０と接続されている。
【００６４】
さらに、吹出型の空調装置としてのエアコンディショナーの屋内機８は、吹出部８１に接続されたダクト９１は、途中で流路切替弁９３によりダクト９２に分岐しており、この分岐したダクト９２の上端部は、床部１ａに設けられた給気口１１に接続されている。
【００６５】
すなわち、吹出型の空調装置としてのエアコンディショナーの屋内機８は、通常は、給気口１１から空調空気（冷気又は暖気）を床上空間６内に吹き出す、床上空間６を空調するためのものであり、必要なときに、制御部が流路切替弁９３を制御して流路を切り替え、上記した蓄電池５を、効率良く適切な温度状態に保つことを行うものである。
【００６６】
なお、吹出型の空調装置としてのエアコンディショナーの屋内機８は、床下用吹出部８２も有しており、床下暖房も行えるものである。
【００６７】
要するに、この実施例３の蓄電池の設置構造では、蓄電池５を適切な温度状態に保つために必要な温度に設定された空気を下側通気孔４ｂ側から蓄電池収納空間４内へ強制的に送り込むことができる。
【００６８】
また、空調装置としてのエアコンディショナーの屋内機８は、床上空間６も空調可能な空調装置であり、床上空間６を空調する機能を主とし、蓄電池５を効率良く適切な温度状態に保つ機能を一機能として有している。
【００６９】
さらに、空調装置としてのエアコンディショナーの屋内機８の吹出部８１と下側通気孔４ｂとの間がダクト９１で接続されているため、蓄電池収納空間４内のみをターゲットとすることができ、無駄な熱量を用いずに済む。
【００７０】
また、水平板４２ではなく、側面板４１を開閉可能な点検用蓋とし、側面板４１を開くと点検口が形成されるようになっている。
【００７１】
なお、他の構成及び作用効果については、上記実施例１と略同様であるので説明を省略する。
【００７２】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００７３】
例えば、上記実施例１〜３では、建物１を、説明が簡単なように、単純な平屋の構造としたが、勿論、これに限定されず、より複雑な構造として実施してもよい。
【００７４】
また、上記した実施例１〜３では、蓄電池収納空間４を床上空間６の端の部分に形成して実施したが、これに限定されず、床上空間６の中間部に形成して実施してもよい。
【００７５】
さらに、上記した実施例１〜３では、蓄電池収納空間４の側面を形成する側面板４１に上側通気孔４ａが設けられているが、これに限定されず、例えば、収納部７が本棚等の場合は、蓄電池収納空間４の上面を形成する水平板４２に設けて実施してもよい。
【符号の説明】
【００７６】
１      建物
１ａ    床部
１ｂ    基礎底盤コンクリート
１ｃ    基礎側壁コンクリート
１ｄ    外壁部
１ｅ    天井部
２      断熱材
３      床下空間
４      蓄電池収納空間
４ａ    上側通気孔
４ｂ    下側通気孔
４１    側面板
４２    水平板
５      蓄電池
５ａ    パワーコンディショナー
６      床上空間
７      収納部
８      エアコンディショナーの屋内機（空調装置）
８１    吹出部
８２    床下用吹出部
９１    ダクト
９２    ダクト
９３    流路切替弁
１０    エアコンディショナーの屋外機
１１    給気口
１２    送風機
１２１  吹出部
１２２  内気吸込部
１２３  外気吸込部
１２４  内気吐出部
１３    吸入口
１４    吐出口
１５１  ダクト
１５２  ダクト
１５３  ダクト
１６    排気口
Ｗ      通気経路
【図１】
2014185448.tif 000003
【図２】
2014185448.tif 000004
【図３】
2014185448.tif 000005